【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
帯電部材に電圧を印加し、像担持体を帯電させる帯電工程と、帯電された像担持体に、静電潜像を形成させる静電潜像形成工程と、該静電潜像にトナーを転移させて現像する現像工程と、像担持体上に形成されたトナー像を中間転写部材を介して又は介さずに記録材に静電転写させる転写工程と、記録材上のトナー像を加熱定着させる定着工程を有し、像担持体上に繰り返して作像が行われる画像形成方法において、
（１）該画像形成方法は、記録材の長さよりも主走査方向と副走査方向のうち少なくとも一方が長い画像を像担持体上に形成し、その一部を記録材に転写するものであり、
（２）該トナーは少なくとも結着樹脂、着色剤及びワックス成分を含有するトナー粒子と無機微粒子を有し、該トナーは、
ａ）１４０℃における損失弾性率Ｇ”（１４０℃）が１．０×１０4ｄＮ／ｍ2以上２．０×１０5ｄＮ／ｍ2未満
ｂ）重量平均粒径（Ｄ４）が３〜１０μｍ
ｃ）平均円形度が０．９５０〜０．９９５
ｄ）該結着樹脂の主たる成分がスチレン−アクリル化合物
であることを特徴とする画像形成方法。
【請求項２】
損失弾性率Ｇ”と貯蔵弾性率Ｇ’との比である動的損失正接（ｔａｎδ＝Ｇ”／Ｇ’）が７０℃以上１１０℃未満に極小値および極大値を有し、１４０℃以上２００℃未満に極大値を有することを特徴とする請求項１に記載の画像形成方法。
【請求項３】
該トナーの円形度標準偏差が０．０４０未満であることを特徴とする請求項１または２に記載の画像形成方法。
【請求項４】
該トナーの円形度０．９５０未満のトナー粒子個数が２０％以下であることを特徴とする請求項１乃至３のいずれか一項に記載の画像形成方法。
【請求項５】
該トナーに含有されるワックスがエステルワックスであることを特徴とする請求項１乃至４のいずれか一項に記載の画像形成方法。
【請求項６】
該トナーに含有されるワックスが炭化水素系ワックスであることを特徴とする請求項１乃至４のいずれか一項に記載の画像形成方法。
【請求項７】
該トナーに含有されるワックスの融点が５５℃以上１４０℃未満であることを特徴とする請求項１乃至６のいずれか一項に記載の画像形成方法。
【請求項８】
前記ビニル系重合体に対して、２〜２０質量％のワックスを含むことを特徴とする、請求項１乃至７のいずれか一項に記載の画像形成方法。
【請求項９】
１５０℃における有機揮発成分分析における、トナー質量を基準としたトルエン換算の有機揮発成分総質量の濃度が３００ｐｐｍ以下であることを特徴とする請求項１乃至８のいずれか一項に記載の画像形成方法。
【請求項１０】
前記有機揮発成分総質量の濃度が２５０ｐｐｍ以下であることを特徴とする請求項１乃至８のいずれか一項に記載の画像形成方法。
【請求項１１】
該着色剤が次の中から選ばれることを特徴とする請求項１乃至１０のいずれか一項に記載の画像形成方法。
Ｃ．Ｉ．ピグメントブルー１５，Ｃ．Ｉ．ピグメントブルー１５：１，Ｃ．Ｉ．ピグメントブルー１５：２，Ｃ．Ｉ．ピグメントブルー１５：３，Ｃ．Ｉ．ピグメントブルー１５：４，Ｃ．Ｉ．ピグメントブルー６０，Ｃ．Ｉ．ピグメントブルー６６
Ｃ．Ｉ．ピグメントレッド２，Ｃ．Ｉ．ピグメントレッド３，Ｃ．Ｉ．ピグメントレッド５，Ｃ．Ｉ．ピグメントレッド６，Ｃ．Ｉ．ピグメントレッド７，Ｃ．Ｉ．ピグメントバイオレット１９，Ｃ．Ｉ．ピグメントレッド２３，Ｃ．Ｉ．ピグメントレッド３１，Ｃ．Ｉ．ピグメントレッド１２２，Ｃ．Ｉ．ピグメントレッド１４４，Ｃ．Ｉ．ピグメントレッド１４６，Ｃ．Ｉ．ピグメントレッド１５０，Ｃ．Ｉ．ピグメントレッド１６６，Ｃ．Ｉ．ピグメントレッド１７７，Ｃ．Ｉ．ピグメントレッド１８４，Ｃ．Ｉ．ピグメントレッド１８５，Ｃ．Ｉ．ピグメントレッド２０２，Ｃ．Ｉ．ピグメントレッド２０６，Ｃ．Ｉ．ピグメントレッド２２０，Ｃ．Ｉ．ピグメントレッド２２１，Ｃ．Ｉ．ピグメントレッド２３８，Ｃ．Ｉ．ピグメントレッド２５４，Ｃ．Ｉ．ピグメントレッド２６９
Ｃ．Ｉ．ピグメントイエロー１２，Ｃ．Ｉ．ピグメントイエロー１３，Ｃ．Ｉ．ピグメントイエロー１４，Ｃ．Ｉ．ピグメントイエロー１５，Ｃ．Ｉ．ピグメントイエロー１７，Ｃ．Ｉ．ピグメントイエロー６２，Ｃ．Ｉ．ピグメントイエロー７４，Ｃ．Ｉ．ピグメントイエロー８３，Ｃ．Ｉ．ピグメントイエロー９３，Ｃ．Ｉ．ピグメントイエロー９４，Ｃ．Ｉ．ピグメントイエロー９５，Ｃ．Ｉ．ピグメントイエロー９７，Ｃ．Ｉ．ピグメントイエロー１０９，Ｃ．Ｉ．ピグメントイエロー１１０，Ｃ．Ｉ．ピグメントイエロー１１１，Ｃ．Ｉ．ピグメントイエロー１２０，Ｃ．Ｉ．ピグメントイエロー１２７，Ｃ．Ｉ．ピグメントイエロー１２８，Ｃ．Ｉ．ピグメントイエロー１２９，Ｃ．Ｉ．ピグメントイエロー１４７，Ｃ．Ｉ．ピグメントイエロー１５１，Ｃ．Ｉ．ピグメントイエロー１５４，Ｃ．Ｉ．ピグメントイエロー１５５，Ｃ．Ｉ．ピグメントイエロー１６８，Ｃ．Ｉ．ピグメントイエロー１７４，Ｃ．Ｉ．ピグメントイエロー１７５，Ｃ．Ｉ．ピグメントイエロー１７６，Ｃ．Ｉ．ピグメントイエロー１８０，Ｃ．Ｉ．ピグメントイエロー１８１，Ｃ．Ｉ．ピグメントイエロー１８５，Ｃ．Ｉ．ピグメントイエロー１９１，Ｃ．Ｉ．ピグメントイエロー１９４
【請求項１２】
前記トナー粒子は水系媒体中にて製造されることを特徴とする請求項１乃至１１のいずれか一項に記載の画像形成方法。
【請求項１３】
前記トナー粒子は懸濁重合により製造されることを特徴とする請求項１２に記載の画像形成方法。
【請求項１４】
該トナーの平均円形度が０．９７０以上であることを特徴とする請求項１乃至１３のいずれか一項に記載の画像形成方法。
【請求項１５】
該トナーの重量平均粒径（Ｄ４）が４〜８μｍであることを特徴とする請求項１乃至１４のいずれか一項に記載の画像形成方法。
【手続補正２】
【補正対象書類名】明細書
【補正対象項目名】０００７
【補正方法】変更
【補正の内容】
【０００７】
本発明は以下の構成を特徴とする画像形成方法である。
（１）帯電部材に電圧を印加し、像担持体を帯電させる帯電工程と、帯電された像担持体に、静電潜像を形成させる静電潜像形成工程と、該静電潜像にトナーを転移させて現像する現像工程と、像担持体上に形成されたトナー像を中間転写部材を介して又は介さずに記録材に静電転写させる転写工程と、記録材上のトナー像を加熱定着させる定着工程を有し、像担持体上に繰り返して作像が行われる画像形成方法において、
１．該画像形成方法は、記録材の長さよりも主走査方向と副走査方向のうち少なくとも一方が長い画像を像担持体上に形成し、その一部を記録材に転写するものであり、
２．該トナーは少なくとも結着樹脂、着色剤及びワックス成分を含有するトナー粒子と無機微粒子を有し、該トナーは、
ａ）貯蔵弾性率Ｇ’と損失弾性率Ｇ”の比である損失正接（ｔａｎδ＝Ｇ’／Ｇ”）が７０℃以上１１０℃未満に極小値および極大値を有し、１４０℃以上２００℃未満に極大値を有し
ｂ）１４０℃における損失弾性率Ｇ”（１４０℃）が１．０×１０4ｄＮ／ｍ2以上２．０×１０5ｄＮ／ｍ2未満
ｃ）重量平均粒径（Ｄ４）が３〜１０μｍ
ｄ）平均円形度が、０．９５０〜０．９９５
ｅ）該結着樹脂の主たる成分がスチレン−アクリル化合物
であることを特徴とする画像形成方法。
（２）損失弾性率Ｇ”と貯蔵弾性率Ｇ’との比である動的損失正接（ｔａｎδ＝Ｇ”／Ｇ’）が７０℃以上１１０℃未満に極小値および極大値を有し、１４０℃以上２００℃未満に極大値を有することを特徴とする（１）に記載の画像形成方法。
（３）該トナーの円形度標準偏差が０．０４０未満であることを特徴とする（１）または（２）に記載の画像形成方法。
（４）該トナーの円形度０．９５０未満のトナー粒子個数が２０％以下であることを特徴とする（１）乃至（３）のいずれかに記載の画像形成方法。
（５）該トナーに含有されるワックスがエステルワックスであることを特徴とする（１）乃至（４）のいずれかに記載の画像形成方法。
（６）該トナーに含有されるワックスが炭化水素系ワックスであることを特徴とする（１）乃至（４）のいずれかに記載の画像形成方法。
（７）該トナーに含有されるワックスの融点が５５℃以上１４０℃未満であることを特徴とする（１）乃至（６）のいずれかに記載の画像形成方法。
（８）前記ビニル系重合体に対して、２〜２０質量％のワックスを含むことを特徴とする、（１）乃至（７）のいずれかに記載の画像形成方法。
（９）１５０℃における有機揮発成分分析における、トナー質量を基準としたトルエン換算の有機揮発成分総質量の濃度が３００ｐｐｍ以下であることを特徴とする（１）乃至（８）のいずれかに記載の画像形成方法。
（１０）前記有機揮発成分総質量の濃度が２５０ｐｐｍ以下であることを特徴とする、（１）乃至（８）のいずれかに記載の画像形成方法。
（１１）該着色剤が次の中から選ばれることを特徴とする（１）乃至（１０）のいずれかに記載の画像形成方法。
Ｃ．Ｉ．ピグメントブルー１５，Ｃ．Ｉ．ピグメントブルー１５：１，Ｃ．Ｉ．ピグメントブルー１５：２，Ｃ．Ｉ．ピグメントブルー１５：３，Ｃ．Ｉ．ピグメントブルー１５：４，Ｃ．Ｉ．ピグメントブルー６０，Ｃ．Ｉ．ピグメントブルー６６
Ｃ．Ｉ．ピグメントレッド２，Ｃ．Ｉ．ピグメントレッド３，Ｃ．Ｉ．ピグメントレッド５，Ｃ．Ｉ．ピグメントレッド６，Ｃ．Ｉ．ピグメントレッド７，Ｃ．Ｉ．ピグメントバイオレット１９，Ｃ．Ｉ．ピグメントレッド２３，Ｃ．Ｉ．ピグメントレッド３１，Ｃ．Ｉ．ピグメントレッド１２２，Ｃ．Ｉ．ピグメントレッド１４４，Ｃ．Ｉ．ピグメントレッド１４６，Ｃ．Ｉ．ピグメントレッド１５０，Ｃ．Ｉ．ピグメントレッド１６６，Ｃ．Ｉ．ピグメントレッド１７７，Ｃ．Ｉ．ピグメントレッド１８４，Ｃ．Ｉ．ピグメントレッド１８５，Ｃ．Ｉ．ピグメントレッド２０２，Ｃ．Ｉ．ピグメントレッド２０６，Ｃ．Ｉ．ピグメントレッド２２０，Ｃ．Ｉ．ピグメントレッド２２１，Ｃ．Ｉ．ピグメントレッド２３８，Ｃ．Ｉ．ピグメントレッド２５４，Ｃ．Ｉ．ピグメントレッド２６９
Ｃ．Ｉ．ピグメントイエロー１２，Ｃ．Ｉ．ピグメントイエロー１３，Ｃ．Ｉ．ピグメントイエロー１４，Ｃ．Ｉ．ピグメントイエロー１５，Ｃ．Ｉ．ピグメントイエロー１７，Ｃ．Ｉ．ピグメントイエロー６２，Ｃ．Ｉ．ピグメントイエロー７４，Ｃ．Ｉ．ピグメントイエロー８３，Ｃ．Ｉ．ピグメントイエロー９３，Ｃ．Ｉ．ピグメントイエロー９４，Ｃ．Ｉ．ピグメントイエロー９５，Ｃ．Ｉ．ピグメントイエロー９７，Ｃ．Ｉ．ピグメントイエロー１０９，Ｃ．Ｉ．ピグメントイエロー１１０，Ｃ．Ｉ．ピグメントイエロー１１１，Ｃ．Ｉ．ピグメントイエロー１２０，Ｃ．Ｉ．ピグメントイエロー１２７，Ｃ．Ｉ．ピグメントイエロー１２８，Ｃ．Ｉ．ピグメントイエロー１２９，Ｃ．Ｉ．ピグメントイエロー１４７，Ｃ．Ｉ．ピグメントイエロー１５１，Ｃ．Ｉ．ピグメントイエロー１５４，Ｃ．Ｉ．ピグメントイエロー１５５，Ｃ．Ｉ．ピグメントイエロー１６８，Ｃ．Ｉ．ピグメントイエロー１７４，Ｃ．Ｉ．ピグメントイエロー１７５，Ｃ．Ｉ．ピグメントイエロー１７６，Ｃ．Ｉ．ピグメントイエロー１８０，Ｃ．Ｉ．ピグメントイエロー１８１，Ｃ．Ｉ．ピグメントイエロー１８５，Ｃ．Ｉ．ピグメントイエロー１９１，Ｃ．Ｉ．ピグメントイエロー１９４
（１２）前記トナー粒子は水系媒体中にて製造されることを特徴とする（１）乃至（１１）のいずれかに記載の画像形成方法。
（１３）前記トナー粒子は懸濁重合により製造されることを特徴とする（１２）に記載の画像形成方法。
（１４）平均円形度が０．９７０以上であることを特徴とする（１）乃至（１３）のいずれかに記載の画像形成方法。
（１５）重量平均粒径（Ｄ４）が、４〜８μｍであることを特徴とする（１）乃至（１４）のいずれかに記載の画像形成方法。